(57)【要約】【課題】保持容量配線の延伸方向に沿って生じる輝度ムラを低減する。【解決手段】第１および第２の保持容量配線を備え、各画素に、第１および第２のＴＦＴと第１および第２の画素電極とが設けられ、第１および第２のＴＦＴそれぞれのゲート電極が走査信号線に接続され、第１の画素電極が第１のＴＦＴを介して上記データ信号線に接続されるともに第２の画素電極が第２のＴＦＴを介して上記データ信号線に接続され、第１の画素電極が第１の保持容量配線と保持容量を形成し、第２の画素電極が第２の保持容量配線と保持容量を形成し、第１の保持容量配線に第１の保持容量信号ＣＳＳ１が供給され、第２の保持容量配線に第２の保持容量信号ＣＳＳ２が供給される液晶表示装置であって、第１および第２の保持容量信号ＣＳＳ１・ＣＳＳ２それぞれの波形は、矩形波の立ち上がり部および立ち下がり部をオーバーシュートさせた波形である。【選択図】図３
2009063938.tif 000002
【特許請求の範囲】
【請求項１】
走査信号線とデータ信号線と第１および第２の保持容量配線とを備え、各画素に、第１および第２のトランジスタと第１および第２の画素電極とが設けられ、第１および第２のトランジスタそれぞれのゲート電極が上記走査信号線に接続され、第１の画素電極が第１のトランジスタを介して上記データ信号線に接続されるともに第２の画素電極が第２のトランジスタを介して上記データ信号線に接続され、第１の画素電極が第１の保持容量配線と保持容量を形成するとともに第２の画素電極が第２の保持容量配線と保持容量を形成しており、第１の保持容量配線に第１の保持容量信号が供給され、第２の保持容量配線に第２の保持容量信号が供給される液晶表示装置であって、
上記第１および第２の保持容量信号それぞれの波形は、矩形波の立ち上がり部および立ち下がり部をオーバーシュートさせた波形であることを特徴とする液晶表示装置。
【請求項２】
走査信号線とデータ信号線と第１および第２の保持容量配線とを備え、各画素に、第１および第２のトランジスタと第１および第２の画素電極とが設けられ、該第１および第２のトランジスタそれぞれのゲート電極が上記走査信号線に接続され、第１の画素電極が第１のトランジスタを介して上記データ信号線に接続されるともに第２の画素電極が第２のトランジスタを介して上記データ信号線に接続され、第１の画素電極が第１の保持容量配線と保持容量を形成するとともに第２の画素電極が第２の保持容量配線と保持容量を形成しており、第１の保持容量配線に第１の保持容量信号が供給され、第２の保持容量配線に第２の保持容量信号が供給される液晶表示装置であって、
上記第１および第２の保持容量信号それぞれの波形は、矩形波の立ち上がり部および立ち下がり部をスロープさせた波形であることを特徴とする液晶表示装置。
【請求項３】
第１および第２のトランジスタがＯＦＦした後、第１の保持容量信号によって第１の保持容量配線の電位がまず上昇するとともに、第２の保持容量信号によって第２の保持容量配線の電位がまず下降することを特徴とする請求項１または２記載の液晶表示装置。
【請求項４】
上記第１および第２の保持容量信号それぞれの位相は互いに１８０度ずれていることを特徴とする請求項１〜３のいずれか１項に記載の液晶表示装置。
【請求項５】
フレームの書き換え周波数が６０Ｈｚよりも大きいことを特徴とする請求項１〜４のいずれか１項に記載の液晶表示装置。
【請求項６】
走査信号線とデータ信号線と第１および第２の保持容量配線とを備え、各画素に、第１および第２のトランジスタと第１および第２の画素電極とが設けられ、第１および第２のトランジスタそれぞれのゲート電極が上記走査信号線に接続され、第１の画素電極が第１のトランジスタを介して上記データ信号線に接続されるともに第２の画素電極が第２のトランジスタを介して上記データ信号線に接続され、第１の画素電極が第１の保持容量配線と保持容量を形成するとともに第２の画素電極が第２の保持容量配線と保持容量を形成しており、第１の保持容量配線に第１の保持容量信号が供給され、第２の保持容量配線に第２の保持容量信号が供給される液晶表示装置を駆動するための、液晶表示装置の駆動方法であって、
上記第１および第２の保持容量信号それぞれの波形を、矩形波の立ち上がり部および立ち下がり部をオーバーシュートさせた波形とすることを特徴とする液晶表示装置の駆動方法。
【請求項７】
走査信号線とデータ信号線と第１および第２の保持容量配線とを備え、各画素に、第１および第２のトランジスタと第１および第２の画素電極とが設けられ、第１および第２のトランジスタそれぞれのゲート電極が上記走査信号線に接続され、第１の画素電極が第１のトランジスタを介して上記データ信号線に接続されるともに第２の画素電極が第２のトランジスタを介して上記データ信号線に接続され、第１の画素電極が第１の保持容量配線と保持容量を形成するとともに第２の画素電極が第２の保持容量配線と保持容量を形成しており、第１の保持容量配線に第１の保持容量信号が供給され、第２の保持容量配線に第２の保持容量信号が供給される液晶表示装置を駆動するための、液晶表示装置の駆動方法であって、
上記第１および第２の保持容量信号それぞれの波形を、矩形波の立ち上がり部および立ち下がり部をスロープさせた波形とすることを特徴とする液晶表示装置の駆動方法。
【請求項８】
請求項１〜５のいずれか１項に記載の液晶表示装置と、テレビジョン放送を受信するチューナ部とを備えることを特徴とするテレビジョン受像機。
【発明の詳細な説明】
【技術分野】
【０００１】
本発明は、保持容量配線の電位を制御する、画素分割方式の液晶表示装置に関する。
【背景技術】
【０００２】
液晶表示装置のγ特性の視角依存性（液晶表示装置を正面から観測した時のγ特性と斜めから観測した時のγ特性との差異）を改善するための一手法として、１画素を複数の副画素で構成する画素分割方式（いわゆるマルチ画素技術）が提案されている（例えば、特許文献１参照）。
【０００３】
図８に画素分割方式の液晶表示装置の構成を示す。同図に示すように、液晶表示装置１０３は、ゲートドライバｇｄと、ソースドライバｓｄと、保持容量配線駆動回路ｃｓｄと、液晶パネル１０２とを備える。液晶パネル１０２には、互いに直交するデータ信号線ｓＬおよび走査信号線ｇＬと、第１および第２の保持容量配線ｃｓ１・ｃｓ２と、マトリクス状に配された画素ｐとが設けられている。なお、データ信号線ｓＬは走査信号線ｇＬよりも上層に配され、走査信号線ｇＬは、各画素ｐを横切るように行方向（図中左右方向）に延伸し、データ信号線ｓＬは画素ｐに沿って列方向（図中上下方向）に延伸し、第１の保持容量配線ｃｓ１は走査信号線ｇＬの一方の側にこれと平行に配され、第２の保持容量配線ｃｓ１は走査信号線ｇＬのもう一方の側にこれと平行に配されており、各保持容量配線ｃｓ１・ｃｓ２はそれぞれ画素ｐと重なっている。
【０００４】
図８の１画素分の等価回路を図９に示す。同図に示すように、各画素ｐには、第１および第２のトランジスタ１１２ａ・１１２ｂと、第１のおよび第２の画素電極１１７ａ・１１７ｂと、第１および第２の保持容量配線ｃｓ１・ｃｓ２とが形成される。第１の画素電極１１７ａは走査信号線ｇＬの一方の側（図中上側）に配置され、第２の画素電極１１７ｂは走査信号線ｇＬのもう一方の側（図中下側）に配置されており、図示されていないが、第１の画素電極１１７ａは第１の保持容量配線ｃｓ１と重なり、第２の画素電極１１７ｂは第２の保持容量配線ｃｓ２と重なっている。なお、データ信号線ｓＬおよび走査信号線ｇＬの交差部近傍に、第１および第２のトランジスタ１１２ａ・１１２ｂが設けられる。
【０００５】
第１のトランジスタ１１２ａは、そのソース電極がデータ信号線ｓＬに接続され、そのドレイン電極が図示しないコンタクトホールを介して第１の画素電極１１７ａに接続され、
そのゲート電極が走査信号線ｇＬに接続されている。また、第１の画素電極１１７ａと第１の保持容量配線ｃｓ１との重畳部には第１の保持容量ｃｃｓ１が形成される。さらに、第１の画素電極１１７ａと共通電極ＣＯＭとの重畳部に第１の画素容量（液晶容量）ｃｌｃ１が形成される。第２のトランジスタ１１２ｂは、そのソース電極がデータ信号線ｓＬに接続され、そのドレイン電極が図示しないコンタクトホールを介して第２の画素電極１１７ｂに接続され、そのゲート電極が走査信号線ｇＬに接続されている。また、第２の画素電極１１７ｂと第２の保持容量配線ｃｓ２との重畳部には第２の保持容量ｃｃｓ２が形成される。さらに、第２の画素電極１１７ｂと共通電極ＣＯＭとの重畳部に第２の画素容量（液晶容量）ｃｌｃ２が形成される。このように、液晶表示装置１０３においては、１つの画素ｐに、第１の画素電極１１７ａを含む第１の副画素ｓｐ１と、第２の画素電極１１７ｂを含む第２の副画素ｓｐ２とが形成される。
【０００６】
液晶表示装置１０３では、データ信号線ｓＬから第１の画素電極１１７aと第２の画素電極１１７ｂとに同じ信号電位が供給されるが、保持容量配線駆動回路ｃｓｄから第１および第２の保持容量配線ｃｓ１・ｃｓ２それぞれに保持容量信号（以下、ｃｓ信号）を供給することによって、第１および第２の保持容量ｃｃｓ１・ｃｃｓ２を介して第１の画素電極１１７aおよび第２の画素電極１１７ｂを異なる電位とすることができる。
【０００７】
これにより、液晶表示装置１０３においては、１つの画素ｐを高輝度の副画素（明副画素）と低輝度の副画素（暗副画素）とで構成し、面積階調による中間調を表現することが可能となり、γ特性の視角依存性（例えば、画面の白浮き）を改善することができる。
【特許文献１】特開２００４−６２１４６号公報（２００４年２月２日公開）
【発明の開示】
【発明が解決しようとする課題】
【０００８】
図１０は、液晶表示装置１０３における、第１の保持容量配線ｃｓ１に供給されるｃｓ信号ｃｓｓ１の波形と、第２の保持容量配線ｃｓ２に供給されるｃｓ信号ｃｓｓ２の波形と、走査信号線ｇＬに供給される走査信号（ゲートオンパルス）ｇｓの波形とを示すタイミングチャートである。同図に示すように、ｃｓｓ１・ｃｓｓ２はともに周期および振幅が等しい矩形波であってそれぞれの位相が１８０度ずれており、ｇｓがＶｇＨからＶｇＬになる（すなわち、第１および第２のトランジスタ１１２ａ・１１２ｂがＯＦＦする）Ｔ２の後のＴ３で、ｃｓｓ１がＶｃｏｍ＋ＶａｄからＶｃｏｍ−Ｖａｄに突き下げる一方、ｃｓｓ２がＶｃｏｍ−ＶａｄからＶｃｏｍ＋Ｖａｄに突き上げている。なお、Ｔ４では、ｃｓｓ１がＶｃｏｍ−ＶａｄからＶｃｏｍ＋Ｖａｄに、ｃｓｓ２がＶｃｏｍ＋ＶａｄからＶｃｏｍ−Ｖａｄになっている。
【０００９】
ここで、図１１に、ｃｓｓ１の波形と、ｃｓｓ２の波形と、ｇｓの波形と、保持容量配線駆動回路ｃｓｄに近い画素ｐ（ｘ）における、第１の保持容量配線ｃｓ１の電位Ｖｃｓ１（ｘ）および第２の保持容量配線ｃｓ２の電位Ｖｃｓ２（ｘ）の各波形と、保持容量配線駆動回路ｃｓｄから遠い画素ｐ（ｙ）における、第１の保持容量配線ｃｓ１の電位Ｖｃｓ１（ｙ）および第２の保持容量配線ｃｓ２の電位Ｖｃｓ２（ｙ）の各波形とを示す。
【００１０】
同図に示されるように、保持容量配線駆動回路ｃｓｄに近い画素ｐ（ｘ）では、各トランジスタ１１２ａ・１１２ｂがＯＦＦするＴ２において、Ｖｃｓ１（ｘ）がＶｃｏｍ＋Ｖａｄに到達し、Ｖｃｓ２（ｘ）がＶｃｏｍ−Ｖａｄに到達している反面、保持容量配線駆動回路ｃｓｄから遠い画素ｐ（ｙ）では、配線抵抗等に起因する波形鈍りが大きく、上記Ｔ２において、Ｖｃｓ１（ｙ）がＶｃｏｍ＋Ｖａｄに到達しておらず、Ｖｃｓ２（ｙ）がＶｃｏｍ−Ｖａｄに到達していない。この結果、同一階調を表示した場合でも、保持容量配線駆動回路ｃｓｄからの距離によって輝度差（輝度ムラ）が生じ、表示品位が低下するという問題があった。
【００１１】
本発明は上記課題に鑑みてなされたものであり、その目的は、画素分割方式の液晶表示装置において、保持容量配線の延伸方向に沿って生じる輝度差（輝度ムラ）を低減しうる構成を提案する点にある。
【課題を解決するための手段】
【００１２】
本発明の液晶表示装置は、走査信号線とデータ信号線と第１および第２の保持容量配線とを備え、各画素に、第１および第２のトランジスタと第１および第２の画素電極とが設けられ、第１および第２のトランジスタそれぞれのゲート電極が上記走査信号線に接続され、第１の画素電極が第１のトランジスタを介して上記データ信号線に接続されるともに第２の画素電極が第２のトランジスタを介して上記データ信号線に接続され、第１の画素電極が第１の保持容量配線と保持容量を形成するとともに第２の画素電極が第２の保持容量配線と保持容量を形成しており、第１の保持容量配線に第１の保持容量信号が供給され、第２の保持容量配線に第２の保持容量信号が供給される液晶表示装置であって、上記第１および第２の保持容量信号それぞれの波形は、矩形波の立ち上がり部および立ち下がり部をオーバーシュートさせた波形であることを特徴とする。
【００１３】
このように、第１および第２の保持容量信号それぞれの波形を、矩形波の立ち上がり部および立ち下がり部をオーバーシュートさせた波形とすることで、特に、各保持容量配線における保持容量信号の入力端から遠い部分での電位上昇および電位降下を速めることができる。これにより、保持容量配線の延伸方向に沿って生じる輝度差（輝度ムラ）を低減することができる。
【００１４】
本発明の液晶表示装置は、走査信号線とデータ信号線と第１および第２の保持容量配線とを備え、各画素に、第１および第２のトランジスタと第１および第２の画素電極とが設けられ、該第１および第２のトランジスタそれぞれのゲート電極が上記走査信号線に接続され、第１の画素電極が第１のトランジスタを介して上記データ信号線に接続されるともに第２の画素電極が第２のトランジスタを介して上記データ信号線に接続され、第１の画素電極が第１の保持容量配線と保持容量を形成するとともに第２の画素電極が第２の保持容量配線と保持容量を形成しており、第１の保持容量配線に第１の保持容量信号が供給され、第２の保持容量配線に第２の保持容量信号が供給される液晶表示装置であって、上記第１および第２の保持容量信号それぞれの波形は、矩形波の立ち上がり部および立ち下がり部をスロープさせた（鈍らせた）波形であることを特徴とする。
【００１５】
このように、第１および第２の保持容量信号それぞれの波形を、矩形波の立ち上がり部および立ち下がり部をスロープさせた波形とすることで、各保持容量配線における保持容量信号の入力端から近い部分での電位波形と該入力端から遠い部分での電位波形とを近づけることができる。これにより、保持容量配線の延伸方向に沿って生じる輝度差（輝度ムラ）を低減することができる。
【００１６】
本液晶表示装置は、第１および第２のトランジスタがＯＦＦした後、第１の保持容量信号によって第１の保持容量配線の電位がまず上昇するとともに、第２の保持容量信号によって第２の保持容量配線の電位がまず下降する構成とすることもできる。
【００１７】
本液晶表示装置は、上記第１および第２の保持容量信号それぞれの位相は互いに１８０度ずれている構成とすることもできる。
【００１８】
本液晶表示装置は、フレームの書き換え周波数が６０Ｈｚよりも大きい構成とすることもできる。フレームの書き換え周波数を６０Ｈｚよりも大きくする（例えば、倍速の１２０Ｈｚとする）と、保持容量配線の電位波形の鈍りが表示品位に大きく影響してくる（保持容量配線の延伸方向に沿って生じる輝度差が大きくなる）ことから、本液晶表示装置は、フレームの書き換え周波数を６０Ｈｚよりも大きくする場合により好適といえる。
【００１９】
本液晶表示装置の駆動方法は、走査信号線とデータ信号線と第１および第２の保持容量配線とを備え、各画素に、第１および第２のトランジスタと第１および第２の画素電極とが設けられ、第１および第２のトランジスタそれぞれのゲート電極が上記走査信号線に接続され、第１の画素電極が第１のトランジスタを介して上記データ信号線に接続されるともに第２の画素電極が第２のトランジスタを介して上記データ信号線に接続され、第１の画素電極が第１の保持容量配線と保持容量を形成するとともに第２の画素電極が第２の保持容量配線と保持容量を形成しており、第１の保持容量配線に第１の保持容量信号が供給され、第２の保持容量配線に第２の保持容量信号が供給される液晶表示装置を駆動するための、液晶表示装置の駆動方法であって、上記第１および第２の保持容量信号それぞれの波形を、矩形波の立ち上がり部および立ち下がり部をオーバーシュートさせた波形とすることを特徴とする。
【００２０】
本液晶表示装置の駆動方法は、走査信号線とデータ信号線と第１および第２の保持容量配線とを備え、各画素に、第１および第２のトランジスタと第１および第２の画素電極とが設けられ、第１および第２のトランジスタそれぞれのゲート電極が上記走査信号線に接続され、第１の画素電極が第１のトランジスタを介して上記データ信号線に接続されるともに第２の画素電極が第２のトランジスタを介して上記データ信号線に接続され、第１の画素電極が第１の保持容量配線と保持容量を形成するとともに第２の画素電極が第２の保持容量配線と保持容量を形成しており、第１の保持容量配線に第１の保持容量信号が供給され、第２の保持容量配線に第２の保持容量信号が供給される液晶表示装置を駆動するための、液晶表示装置の駆動方法であって、上記第１および第２の保持容量信号それぞれの波形を、矩形波の立ち上がり部および立ち下がり部をスロープさせた波形とすることを特徴とする。
【００２１】
本テレビジョン受像機は、上記液晶表示装置と、テレビジョン放送を受信するチューナ部とを備えることを特徴とする。
【発明の効果】
【００２２】
以上のように、本液晶表示装置によれば、保持容量配線の延伸方向に沿って生じる輝度差（輝度ムラ）を低減することができる。
【発明を実施するための最良の形態】
【００２３】
本発明の実施の一形態を図１〜図７に基づいて説明すれば以下のとおりである。
【００２４】
図１に本液晶表示装置の構成を示す。同図に示すように、液晶表示装置３は、ゲートドライバＧＤと、ソースドライバＳＤと、保持容量配線駆動回路ＣＳＤと、液晶パネル２とを備える。液晶パネル２には、互いに直交するデータ信号線ＳＬおよび走査信号線ＧＬと、第１および第２の保持容量配線ＣＳ１・ＣＳ２と、マトリクス状に配された画素Ｐとが設けられている。なお、データ信号線ＳＬは走査信号線ＧＬよりも上層に配され、走査信号線ＧＬは、画素Ｐを横切るように行方向（図中左右方向）に延伸し、データ信号線ＳＬは画素Ｐに沿って列方向（図中上下方向）に延伸し、第１の保持容量配線ＣＳ１は走査信号線ＧＬの一方の側にこれと平行に配され、第２の保持容量配線ＣＳ１は走査信号線ＧＬのもう一方の側にこれと平行に配されており、各保持容量配線ＣＳ１・ＣＳ２はそれぞれ画素Ｐと重なっている。また、保持容量配線駆動回路ＣＳＤは、第１および第２の保持容量配線ＣＳ１・ＣＳ２に保持容量信号（ＣＳ信号）を入力する。
【００２５】
図１の１画素分の等価回路を図２に示す。同図に示すように、各画素Ｐには、第１および第２のトランジスタ（ＴＦＴ）１２ａ・１２ｂと、第１のおよび第２の画素電極１７ａ・１７ｂと、第１および第２の保持容量配線ＣＳ１・ＣＳ２とが形成される。第１の画素電極１７ａは走査信号線ＧＬの一方の側（図中上側）に配置され、第２の画素電極１７ｂは走査信号線ＧＬのもう一方の側（図中下側）に配置されており、図示されていないが、第１の画素電極１７ａは第１の保持容量配線ＣＳ１と重なり、第２の画素電極１７ｂは第２の保持容量配線ＣＳ２と重なっている。なお、データ信号線ＳＬおよび走査信号線ＧＬの交差部近傍に、第１および第２のトランジスタ１２ａ・１２ｂが設けられる。
【００２６】
第１のトランジスタ１２ａは、そのソース電極がデータ信号線ＳＬに接続され、そのドレイン電極が図示しないコンタクトホールを介して第１の画素電極１７ａに接続され、そのゲート電極が走査信号線ＧＬに接続されている。また、第１の画素電極１７ａと第１の保持容量配線ＣＳ１との重畳部には第１の保持容量Ｃｃｓ１が形成される。さらに、第１の画素電極１７ａと共通電極ＣＯＭとの重畳部に第１の画素容量（液晶容量）Ｃｌｃ１が形成される。第２のトランジスタ１２ｂは、そのソース電極がデータ信号線ＳＬに接続され、そのドレイン電極が図示しないコンタクトホールを介して第２の画素電極１７ｂに接続され、そのゲート電極が走査信号線ＧＬに接続されている。また、第２の画素電極１７ｂと第２の保持容量配線ＣＳ２との重畳部には第２の保持容量Ｃｃｓ２が形成される。さらに、第２の画素電極１７ｂと共通電極ＣＯＭとの重畳部に第２の画素容量（液晶容量）Ｃｌｃ２が形成される。このように、液晶表示装置３においては、１つの画素Ｐに、第１の画素電極１７ａを含む第１の副画素ＳＰ１と、第２の画素電極１７ｂを含む第２の副画素ＳＰ２とが形成される。
【００２７】
液晶表示装置３では、データ信号線ＳＬから第１の画素電極１７aと第２の画素電極１７ｂとに同じ信号電位が供給されるが、保持容量配線駆動回路ＣＳＤから第１および第２の保持容量配線ＣＳ１・ＣＳ２それぞれに保持容量信号（ＣＳ信号）を供給することによって、第１および第２の保持容量Ｃｃｓ１・Ｃｃｓ２を介して第１の画素電極１７aおよび第２の画素電極１７ｂを異なる電位とすることができる（後に詳述）。
【００２８】
これにより、液晶表示装置３においては、１つの画素Ｐを高輝度の副画素（明副画素）と低輝度の副画素（暗副画素）とで構成し、面積階調による中間調を表現することが可能となり、γ特性の視角依存性（例えば、画面の白浮き）を改善することができる。
【００２９】
〔実施の形態１〕
図３は、実施の形態１の液晶表示装置における、第１の保持容量配線ＣＳ１に供給されるＣＳ信号ＣＳＳ１の波形と、第２の保持容量配線ＣＳ２に供給されるＣＳ信号ＣＳＳ２の波形と、走査信号線ＧＬに供給される走査信号（ゲートオンパルス）ＧＳの波形とを示すタイミングチャートである。同図に示すように、ＣＳＳ１およびＣＳＳ２はともに、矩形波の立ち上がり部および立ち下がり部を角状にオーバーシュートさせた波形を有しており、それぞれの位相が１８０度ずれている。すなわち、ＣＳＳ１については、時刻Ｔ０でＬｏｗ側電位ＶＣＳＬから立ち上がった際にオーバーシュート電位ＶＯＳＨをとり、その後ＴｍでＨｉｇｈ側電位ＶＣＳＨとなり、その後Ｔ３で立ち下がった際にオーバーシュート電位ＶＯＳＬをとり、その後ＴｎでＬｏｗ側電位ＶＣＳＬとなり、その後時刻Ｔ４でＬｏｗ側電位ＶＣＳＬから立ち上がり、以後これら一連の電位変動を周期的に繰り返す。ＣＳＳ２については、時刻Ｔ０でＨｉｇｈ側電位ＶＣＳＨから立ち下がった際にオーバーシュート電位ＶＯＳＬをとり、その後ＴｍでＬｏｗ側電位ＶＣＳＬとなり、その後Ｔ３で立ち上がった際にオーバーシュート電位ＶＯＳＨをとり、その後ＴｎでＨｉｇｈ側電位ＶＣＳＨとなり、その後時刻Ｔ４でＨｉｇｈ側電位ＶＣＳＨから立ち下がり、以後これら一連の電位変動を周期的に繰り返す。なお、ＶＣＳＨ＝Ｖｃｏｍ＋Ｖａｄ、ＶＣＳＬ＝Ｖｃｏｍ−Ｖａｄ、ＶＯＳＨ＞ＶＣＳＨ、ＶＯＳＬ＜ＶＣＳＬとする。
【００３０】
また、図３に示すように、本液晶表示装置では、Ｔｍの後のＴ１で走査信号ＧＳが立ち上がり（第１および第２のトランジスタ１２ａ・１２ｂがＯＮし）、その後のＴ２でＧＳが立ち下がり（第１および第２のトランジスタ１２ａ・１２ｂがＯＦＦし）、その後のＴ３でＣＳＳ１が立ち下がるとともにＣＳＳ２が立ち上がっている。
【００３１】
ここで、図４に、ＣＳＳ１の波形と、ＣＳＳ２の波形と、ＧＳの波形と、保持容量配線駆動回路ＣＳＤに近い画素Ｐ（Ｘ）における、第１の保持容量配線ＣＳ１の電位ＶＣＳ１（ｘ）および第２の保持容量配線ＣＳ２の電位ＶＣＳ２（Ｘ）の各波形と、保持容量配線駆動回路ＣＳＤから遠い画素Ｐ（Ｙ）における、第１の保持容量配線ＣＳ１の電位ＶＣＳ１（Ｙ）および第２の保持容量配線ＣＳ２の電位ＶＣＳ２（Ｙ）の各波形とを示す。
【００３２】
同図に示されるように、本液晶表示装置では、保持容量配線駆動回路ＣＳＤに近い画素Ｐ（Ｘ）では、各トランジスタ１２ａ・１２ｂがＯＦＦするＴ２において、ＶＣＳ１（Ｘ）がＶＣＳＨ（Ｖｃｏｍ＋Ｖａｄ）に到達し、ＶＣＳ２（ｘ）がＶＣＳＬ（Ｖｃｏｍ−Ｖａｄ）に到達し、かつ保持容量配線駆動回路ＣＳＤから遠い画素Ｐ（Ｙ）でも、配線抵抗等に起因する波形鈍りはあるものの、上記Ｔ２において、ＶＣＳ１（Ｙ）がＶＣＳＨ（Ｖｃｏｍ＋Ｖａｄ）に到達し、ＶＣＳ２（Ｙ）がＶＣＳＬ（Ｖｃｏｍ−Ｖａｄ）に到達している。この結果、保持容量配線駆動回路ＣＳＤからの距離によって輝度差（輝度ムラ）が生じるといった問題を解消することができる。なお、画素Ｐ（Ｘ）および画素Ｐ（Ｙ）における画素電極１７ａ・１７ｂの電位変動を具体的に説明すれば以下のとおりである。
【００３３】
まず、時刻Ｔ１のとき、走査信号ＧＳの電位がＶＧＬからＶＧＨに変化することにより、第１および第２のトランジスタ１２ａ・１２ｂが同時に導通状態（オン状態）となり、データ信号線ＳＬの電位Ｖｓが第１および第２の画素電極１７ａ・１７ｂに供給され、第１の画素電極１７ａの電位Ｖａおよび第２の画素電極１７ｂの電位ＶｂはともにＶｓにほぼ等しくなる。
【００３４】
次に、時刻Ｔ２のとき、走査信号ＧＳの電位がＶＧＨからＶＧＬに変化することにより、第１および第２のトランジスタ１２ａ・１２ｂが同時に非導通状態（ＯＦＦ状態）となることで、第１および第２の画素電極１７ａ・１７ｂはデータ信号線ＳＬから電気的に絶縁される。なお、この直後、第１および第２のトランジスタ１２ａ・１２ｂの寄生容量等に起因する引き込み現象により、第１および第２の画素電極１７ａ・１７ｂそれぞれの電位Ｖａ・Ｖｂは概ね同一の電圧Ｖｄだけ低下する。したがって、
Ｖａ（第１の画素電極１７ａの電位）＝Ｖｓ−Ｖｄ
Ｖｂ（第２の画素電極１７ｂの電位）＝Ｖｓ−Ｖｄ
となる。このとき（Ｔ２では）、画素Ｐ（Ｘ）におけるＣＳ１の電位ＶＣＳ１（Ｘ）、画素Ｐ（Ｙ）におけるＣＳ１の電位ＶＣＳ１（Ｘ）、画素Ｐ（Ｘ）におけるＣＳ２の電位ＶＣＳ２（Ｘ）および画素Ｐ（Ｙ）におけるＣＳ２の電位ＶＣＳ２（Ｙ）は、
ＶＣＳ１（Ｘ）＝ＶＣＳ１（Ｙ）＝Ｖｃｏｍ＋Ｖａｄ（ＶＣＳＨ）
ＶＣＳ２（Ｘ）＝ＶＣＳ２（Ｙ）＝Ｖｃｏｍ−Ｖａｄ（ＶＣＳＬ）である。
【００３５】
時刻Ｔ３では、ＣＳＳ１がＶＣＳＨ（Ｖｃｏｍ＋Ｖａｄ）からＶＯＳＬ（＜ＶＣＳＬ）に変化し、ＣＳＳ２がＶＣＳＬ（Ｖｃｏｍ−Ｖａｄ）からＶＯＳＨ（＞ＶＣＳＨ）に変化し、その後のＴｎでＣＳＳ１がＶＣＳＬに、ＣＳＳ２がＶＣＳＨになり、Ｔ４までこの状態が続く。そして、Ｔ４直前には、画素Ｐ（Ｘ）におけるＣＳ１の電位ＶＣＳ１（Ｘ）、画素Ｐ（Ｙ）におけるＣＳ１の電位ＶＣＳ１（Ｘ）、画素Ｐ（Ｘ）におけるＣＳ２の電位ＶＣＳ２（Ｘ）および画素Ｐ（Ｙ）におけるＣＳ２の電位ＶＣＳ２（Ｙ）は、
ＶＣＳ１（Ｘ）＝ＶＣＳ１（Ｙ）＝Ｖｃｏｍ−Ｖａｄ（ＶＣＳＬ）
ＶＣＳ２（Ｘ）＝ＶＣＳ２（Ｙ）＝Ｖｃｏｍ＋Ｖａｄ（ＶＣＳＨ）となる。
【００３６】
これにより、画素Ｐ（Ｘ）および画素Ｐ（Ｙ）それぞれにおいて、第１および第２の画素電極１７ａ・１７ｂそれぞれの電位Ｖａ・Ｖｂは、
Ｖａ＝Ｖｓ−Ｖｄ−２×Ｋ×Ｖａｄ
Ｖｂ＝Ｖｓ−Ｖｄ＋２×Ｋ×Ｖａｄとなる。ただし、Ｋ＝ＣＣＳ／（ＣＬＣ（Ｖ）＋ＣＣＳ）である。ここで、ＣＬＣ（Ｖ）は、各副画素（ＳＰ１、ＳＰ２）における液晶容量の静電容量値であり、ＣＬＣ（Ｖ）の値は、各副画素の液晶層に印加される実効電圧（Ｖ）に依存する。また、ＣＣＳは、各副画素における保持容量（Ｃｃｓ１・Ｃｃｓ２）の静電容量値である。
【００３７】
時刻Ｔ４では、ＣＳＳ１がＶＣＳＬ（Ｖｃｏｍ−Ｖａｄ）からＶＯＳＨへ、ＣＳＳ２がＶＣＳＨ（Ｖｃｏｍ＋Ｖａｄ）からＶＯＳＬへ変化し、その後ＣＳＳ１がＶＣＳＨに、ＣＳＳ２がＶＣＳＬになり、Ｔ５までこの状態が続く。これによって、画素Ｐ（Ｘ）および画素Ｐ（Ｙ）それぞれにおいて、第１および第２の画素電極１７ａ・１７ｂそれぞれの電位Ｖａ・Ｖｂは、
Ｖａ＝Ｖｓ−Ｖｄ
Ｖｂ＝Ｖｓ−Ｖｄ
となる。
【００３８】
時刻Ｔ５では、ＣＳＳ１がＶＣＳＨ（Ｖｃｏｍ＋Ｖａｄ）からＶＯＳＬへ、ＣＳＳ２がＶＣＳＬ（Ｖｃｏｍ−Ｖａｄ）からＶＯＳＨへ変化し、その後ＣＳＳ１がＶＣＳＬに、ＣＳＳ２がＶＣＳＨになり、Ｔ６までこの状態が続く。これによって、画素Ｐ（Ｘ）および画素Ｐ（Ｙ）それぞれにおいて、第１および第２の画素電極１７ａ・１７ｂそれぞれの電位Ｖａ・Ｖｂは、
Ｖａ＝Ｖｓ−Ｖｄ−２×Ｋ×Ｖａｄ
Ｖｂ＝Ｖｓ−Ｖｄ＋２×Ｋ×Ｖａｄとなる。
【００３９】
以上を繰り返すことで、画素Ｐ（Ｘ）および画素Ｐ（Ｙ）それぞれにおいて、Ｖａ・Ｖｂそれぞれの実効値ＶＡ・ＶＢは、
ＶＡ（第１の画素電極１７ａの実効電位）＝Ｖｓ−Ｖｄ−Ｋ×Ｖａｄ
ＶＢ（第２の画素電極１７ｂの実効電位）＝Ｖｓ−Ｖｄ＋Ｋ×Ｖａｄとなる。
【００４０】
以上から、副画素ＳＰ１・ＳＰ２の液晶層に印加される実効電圧Ｖ１・Ｖ２は、画素Ｐ（Ｘ）および画素Ｐ（Ｙ）それぞれにおいて、
Ｖ１＝Ｖａ−Ｖｃｏｍ＝Ｖｓ−Ｖｄ−Ｋ×Ｖａｄ−Ｖｃｏｍ
Ｖ２＝Ｖｂ−Ｖｃｏｍ＝Ｖｓ−Ｖｄ＋Ｋ×Ｖａｄ−Ｖｃｏｍとなる。
【００４１】
このように、本液晶表示装置によれば、画素Ｐ（Ｘ）および画素Ｐ（Ｙ）それぞれにおいて、１つの画素Ｐを低輝度の副画素（暗副画素ＳＰ１）と高輝度の副画素（明副画素ＳＰ２）とで構成し、かつ、暗副画素ＳＰ１同士の輝度および明副画素ＳＰ２同士の輝度を揃えることが可能となる。
【００４２】
〔実施の形態２〕
図５は、実施の形態２の液晶表示装置における、第１の保持容量配線ＣＳ１に供給されるＣＳ信号ＣＳＳ１の波形と、第２の保持容量配線ＣＳ２に供給されるＣＳ信号ＣＳＳ２の波形と、走査信号線ＧＬに供給される走査信号（ゲートオンパルス）ＧＳの波形とを示すタイミングチャートである。同図に示すように、ＣＳＳ１およびＣＳＳ２はともに、矩形波の立ち上がり部および立ち下がり部を鈍らせた（傾斜させた）波形（台形波の形状）を有しており、それぞれの位相が１８０度ずれている。すなわち、ＣＳＳ１については、時刻Ｔ０でＬｏｗ側電位ＶＣＳＬからスロープ状に上がりだしてＴｍでＨｉｇｈ側電位ＶＣＳＨをとり、その後Ｔ３でＨｉｇｈ側電位ＶＣＳＨからスロープ状に下がりだしてＴｎでＬｏｗ側電位ＶＣＳＬをとり、その後Ｔ４でＬｏｗ側電位ＶＣＳＬからスロープ状に上がりだし、以後これら一連の電位変動を周期的に繰り返す。ＣＳＳ２については、時刻Ｔ０でＨｉｇｈ側電位ＶＣＳＨからスロープ状に下がりだしてＴｍでＬｏｗ側電位ＶＣＳＬをとり、その後Ｔ３でＬｏｗ側電位ＶＣＳＬからスロープ状に上がりだしてＴｎでＨｉｇｈ側電位ＶＣＳＨをとり、その後Ｔ４でＨｉｇｈ側電位ＶＣＳＨからスロープ状に下がりだし、以後これら一連の電位変動を周期的に繰り返す。
【００４３】
また、図５に示すように、本液晶表示装置では、Ｔｍの後のＴ１で走査信号ＧＳが立ち上がり（第１および第２のトランジスタ１２ａ・１２ｂがＯＮし）、その後のＴ２でＧＳが立ち下がり（第１および第２のトランジスタ１２ａ・１２ｂがＯＦＦし）、その後のＴ３でＣＳＳ１がスロープ状に下がりだすとともにＣＳＳ２がスロープ状に上がりだしている。
【００４４】
ここで、図６に、ＣＳＳ１の波形と、ＣＳＳ２の波形と、ＧＳの波形と、保持容量配線駆動回路ＣＳＤに近い画素Ｐ（Ｘ）における、第１の保持容量配線ＣＳ１の電位ＶＣＳ１（ｘ）および第２の保持容量配線ＣＳ２の電位ＶＣＳ２（Ｘ）の各波形と、保持容量配線駆動回路ＣＳＤから遠い画素Ｐ（Ｙ）における、第１の保持容量配線ＣＳ１の電位ＶＣＳ１（Ｙ）および第２の保持容量配線ＣＳ２の電位ＶＣＳ２（Ｙ）の各波形とを示す。
【００４５】
同図に示されるように、本液晶表示装置では、各トランジスタ１２ａ・１２ｂがＯＦＦするＴ２において、保持容量配線駆動回路ＣＳＤに近い画素Ｐ（Ｘ）でのＣＳ１の電位ＶＣＳ１（Ｘ）と、保持容量配線駆動回路ＣＳＤから遠い画素Ｐ（Ｙ）でのＣＳ１の電位ＶＣＳ１（Ｙ）とを近づけるとともに、画素Ｐ（Ｘ）でのＣＳ２の電位ＶＣＳ２（Ｘ）と、画素Ｐ（Ｙ）でのＣＳ２の電位ＶＣＳ２（Ｙ）とを近づけることができる。また、Ｔ４において、画素Ｐ（Ｘ）でのＣＳ１の電位ＶＣＳ１（Ｘ）と、画素Ｐ（Ｙ）でのＣＳ１の電位ＶＣＳ１（Ｙ）とを近づけるとともに、画素Ｐ（Ｘ）でのＣＳ２の電位ＶＣＳ２（Ｘ）と、画素Ｐ（Ｙ）でのＣＳ２の電位ＶＣＳ２（Ｙ）とを近づけることができる。すなわち、ＣＳＳ１およびＣＳＳ２の立ち上がりおよび立ち下がり部をスロープにすることで、ＶＣＳ１（Ｘ）をＶＣＳ１（Ｙ）側に寄せ（鈍りの大きいＶＣＳ１（Ｙ）側に揃え）、ＶＣＳ２（Ｘ）をＶＣＳ２（Ｙ）側に寄せる（鈍りの大きいＶＣＳ２（Ｙ）側に揃える）ことができる。この結果、保持容量配線駆動回路ＣＳＤからの距離によって輝度差（輝度ムラ）が生じるといった問題を解消することができる。
【００４６】
本実施の形態にかかるテレビジョン受像機（液晶テレビ）は、図７に示すように、本液晶表示装置３と、テレビジョン放送を受信して映像信号を出力するチューナ部４０とを備える。すなわち、テレビジョン受像機５０では、チューナ部４０から出力された映像信号に基づいて液晶表示装置３が映像（画像）表示を行う。
【００４７】
なお、フレームの書き換え周波数を６０Ｈｚよりも大きくする（例えば、倍速の１２０Ｈｚとする）と、保持容量配線の電位波形の鈍りが表示品位に大きく影響してくることから、本液晶表示装置は、フレームの書き換え周波数を６０Ｈｚよりも大きくする場合により好適である。
【００４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４９】
本発明の液晶表示装置は、例えば、液晶テレビに好適である。
【図面の簡単な説明】
【００５０】
【図１】本液晶表示装置の構成を示す模式図である。
【図２】本液晶表示装置の１画素分の構成を示す回路図である。
【図３】本実施の形態１のＣＳ信号（ＣＳＳ１・ＣＳＳ２）の波形を示すタイミングチャートである。
【図４】本実施の形態１における、画素Ｐ（Ｘ）における各保持容量配線ＣＳ１・ＣＳ２の電位ＶＣＳ１（Ｘ）・ＶＣＳ２（Ｘ）の波形と、画素Ｐ（Ｙ）における各保持容量配線ＣＳ１・ＣＳ２の電位ＶＣＳ１（Ｙ）・ＶＣＳ２（Ｙ）の波形とを示すタイミングチャートである。
【図５】本実施の形態２の保持容量信号（ＣＳＳ１・ＣＳＳ２）の波形を示すタイミングチャートである。
【図６】本実施の形態２における、画素Ｐ（Ｘ）における各保持容量配線ＣＳ１・ＣＳ２の電位ＶＣＳ１（Ｘ）・ＶＣＳ２（Ｘ）の波形と、画素Ｐ（Ｙ）における各保持容量配線ＣＳ１・ＣＳ２の電位ＶＣＳ１（Ｙ）・ＶＣＳ２（Ｙ）の波形とを示すタイミングチャートである。
【図７】本テレビジョン受像機の構成を示すブロック図である。
【図８】画素分割方式の液晶表示装置の構成を示す模式図である。
【図９】図８に示す液晶表示装置の１画素分の構成を示す回路図である。
【図１０】従来の保持容量信号（ｃｓｓ１・ｃｓｓ２）の波形を示すタイミングチャートである。
【図１１】従来の液晶表示装置における、画素ｐ（ｘ）における各保持容量配線ｃｓ１・ｃｓ２の電位Ｖｃｓ１（ｘ）・Ｖｃｓ２（ｘ）の波形と、画素ｐ（ｙ）における各保持容量配線ｃｓ１・ｃｓ２の電位Ｖｃｓ１（ｙ）・Ｖｃｓ２（ｙ）の波形とを示すタイミングチャートである。
【符号の説明】
【００５１】
３  液晶表示装置
１２ａ  第１のトランジスタ
１２ｂ  第２のトランジスタ
１７ａ  第１の画素電極
１７ｂ  第２の画素電極
５０  テレビジョン受像機
Ｐ  画素
ＳＰ１  副画素
ＳＰ２  副画素
ＳＬ  データ信号線
ＧＬ  走査信号線
ＣＳ１  第１の保持容量配線
ＣＳ２  第２の保持容量配線
ＧＤ  ゲートドライバ
ＳＤ  ソースドライバ
ＣＳＤ  保持容量配線駆動回路
【図１】
2009063938.tif 000003
【図２】
2009063938.tif 000004
【図３】
2009063938.tif 000005
【図４】
2009063938.tif 000006
【図５】
2009063938.tif 000007
【図６】
2009063938.tif 000008
【図７】
2009063938.tif 000009
【図８】
2009063938.tif 000010
【図９】
2009063938.tif 000011
【図１０】
2009063938.tif 000012
【図１１】
2009063938.tif 000013